(57)【要約】【課題】高能率に静寂に水を冷やし、患者を快適に支持して、快適なマッサージを施すことができる空冷式水圧マッサージ機を提供することにある。【解決手段】水圧マッサージ機（３８）において、水槽（１）内の水を循環させる循環ポンプ（２４）及び複数個の冷却部（２６）からなる冷却用循環管路（２０）を設け、前記冷却部（２６）の稼動を制御するラジエーター制御回路（３５）を設け、水温に応じて、運転する冷却部（２６）の個数を変更制御し、水圧マッサージ機（３８）において、水槽（１）内の水を循環させる循環ポンプ（２４）、冷却部（２６）及び冷却ファン（２８）からなる冷却用循環管路（２０）を設け、前記冷却ファン（２８）を制御するラジエーター制御回路（３５）を設け、水温に応じて、冷却ファン（２８）の回転数を変更制御する空冷式水圧マッサージ機である。【選択図】      図１
2005065896.tif 000002
【特許請求の範囲】
【請求項１】
水圧マッサージ機（３８）において、水槽（１）内の水を循環させる循環ポンプ（２４）及び複数個の冷却部（２６）からなる冷却用循環管路（２０）を設け、前記冷却部（２６）の稼動を制御するラジエーター制御回路（３５）を設け、
水温に応じて、運転する冷却部（２６）の個数を変更制御する空冷式水圧マッサージ機。
【請求項２】
水圧マッサージ機（３８）において、水槽（１）内の水を循環させる循環ポンプ（２４）、冷却ファン（２８）を有する冷却部（２６）からなる冷却用循環管路（２０）を設け、前記冷却ファン（２８）を制御するラジエーター制御回路（３５）を設け、
水温に応じて、冷却ファン（２８）の回転数を変更制御する空冷式水圧マッサージ機。
【請求項３】
水圧マッサージ機（３８）において、水槽（１）内の水を循環する循環ポンプ（２４）及び冷却部（２６）からなる冷却用循環管路（２０）を設け、前記循環ポンプ（２４）を制御するラジエーター制御回路（３５）を設け、
水温に応じて、冷却部（２６）の通水量を変更制御する空冷式水圧マッサージ機。
【請求項４】
水圧マッサージ機（３８）において、水槽（１）内の水を循環させる循環ポンプ（２４）、複数個の冷却ファン（２８）を有する冷却部（２６）からなる冷却用循環管路（２０）を設け、前記冷却ファン（２８）を制御するラジエーター制御回路（３５）を設け、
水温に応じて、運転する冷却ファン（２８）の個数を変更制御する空冷式水圧マッサージ機。
【請求項５】
水圧マッサージ機（３８）において、水槽（１）内の水を循環させる循環ポンプ（２４）、冷却ファン（２８）を有する冷却部（２６）からなる冷却用循環管路（２０）を設け、前記冷却ファン（２８）を制御するラジエーター制御回路（３５）を設け、
ノズル（１０）へ連通した噴射ポンプ（１６）を制御するマッサージ制御回路（３１）を設け、該マッサージ制御回路（３１）の出力をラジエーター制御回路（３５）に入力し、
噴射ポンプ（１６）の回転数に対応してラジエーター制御回路（３５）を制御する空冷式水圧マッサージ機。
【請求項６】
水圧マッサージ機（３８）において、水槽（１）内の水を循環させる循環ポンプ（２４）、複数個の冷却ファン（２８）を有する複数個の冷却部（２６）からなる冷却用循環管路（２０）を設け、前記冷却部（２６）を制御するラジエーター制御回路（３５）を設け、
水温に応じて、冷却部（２６）の稼動個数を変更制御し、及び冷却部（２６）内の冷却ファン（２８）の稼動個数を変更制御する空冷式水圧マッサージ機。
【発明の詳細な説明】
【技術分野】
【０００１】
本発明は、臥姿勢の人体（＝以下患者という）の頸部、体幹及び下肢を、噴流水圧によりマッサージする空冷式水圧マッサージ機に関する。
【背景技術】
【０００２】
従来の技術には、マットと、冷却部と、冷却ファンと、サーモスタットと、循環装置とからなるジェットウォーターベッドがあった。
しかし、水温の変化に対応して冷房装置の稼動状況が細かく制御されるものではなく、高能率に静寂に稼動するというものでもなかった。
【特許文献１】登実第３０６０００９号公報
【発明の開示】
【発明が解決しようとする課題】
【０００３】
解決しようとする問題点は、水温の変化に対応して冷房装置の稼動状況が細かく制御されず、高能率に静寂に稼動しない点である。
【課題を解決するための手段】
【０００４】
本発明の目的は、上記要望に応えたものであり、高能率に静寂に水を冷やし、患者を快適に支持して、快適なマッサージを施すことができる空冷式水圧マッサージ機３８を提供することにある。
即ち本発明は、水圧マッサージ機（３８）において、水槽（１）内の水を循環させる循環ポンプ（２４）及び複数個の冷却部（２６）からなる冷却用循環管路（２０）を設け、前記冷却部（２６）の稼動を制御するラジエーター制御回路（３５）を設け、水温に応じて、運転する冷却部（２６）の個数を変更制御する空冷式水圧マッサージ機である。
又、水圧マッサージ機（３８）において、水槽（１）内の水を循環させる循環ポンプ（２４）、冷却ファン（２８）を有する冷却部（２６）からなる冷却用循環管路（２０）を設け、前記冷却ファン（２８）を制御するラジエーター制御回路（３５）を設け、水温に応じて、冷却ファン（２８）の回転数を変更制御する。
更に、水圧マッサージ機（３８）において、水槽（１）内の水を循環する循環ポンプ（２４）及び冷却部（２６）からなる冷却用循環管路（２０）を設け、前記循環ポンプ（２４）を制御するラジエーター制御回路（３５）を設け、水温に応じて、冷却部（２６）の通水量を変更制御する。
更に又、水圧マッサージ機（３８）において、水槽（１）内の水を循環させる循環ポンプ（２４）、複数個の冷却ファン（２８）を有する冷却部（２６）からなる冷却用循環管路（２０）を設け、前記冷却ファン（２８）を制御するラジエーター制御回路（３５）を設け、水温に応じて、運転する冷却ファン（２８）の個数を変更制御する。
又、水圧マッサージ機（３８）において、水槽（１）内の水を循環させる循環ポンプ（２４）、冷却ファン（２８）を有する冷却部（２６）からなる冷却用循環管路（２０）を設け、前記冷却ファン（２８）を制御するラジエーター制御回路（３５）を設け、ノズル（１０）へ連通した噴射ポンプ（１６）を制御するマッサージ制御回路（３１）を設け、該マッサージ制御回路（３１）の出力をラジエーター制御回路（３５）に入力し、噴射ポンプ（１６）の回転数に対応してラジエーター制御回路（３５）を制御する。
更に、水圧マッサージ機（３８）において、水槽（１）内の水を循環させる循環ポンプ（２４）、複数個の冷却ファン（２８）を有する複数個の冷却部（２６）からなる冷却用循環管路（２０）を設け、前記冷却部（２６）を制御するラジエーター制御回路（３５）を設け、
水温に応じて、冷却部（２６）の稼動個数を変更制御し、及び冷却部（２６）内の冷却ファン（２８）の稼動個数を変更制御する。
【発明の効果】
【０００５】
本発明に係る水圧マッサージ機３８において、水槽１内の水を循環させる循環ポンプ２４及び複数個のラジエーター２７からなる環管路２０を設け、水温（実際の水温）に応じて、運転するラジエーター２７の個数を変更制御するものであるから、水温が高温時は多数のラジエーター２７を作動し、稼動するラジエーター２７個数に比例した能力で高能率に冷却できる。
【０００６】
高温域以下の時は０台又は１台の運転であり静かに本発明機器を使用でき、高温域に入ると、全数を稼動して早急に好適温度に能率よく冷却でき、余分な消費電力を押さえ、全数稼動時には騒音が高くなるがその高騒音の時間を短縮して静寂に、水圧マッサージ治療を受けることが出来、好都合である。
１個ラジエーター方式はそのラジエーター２７が大型になり取り付けが不利となり、空気騒音も大きく不都合であるが、複数ラジエーター方式ではそのラジエーター２７を小型にでき、取り付けスペースも有利であり、騒音も小さく、好都合である。
【０００７】
本発明に係る水圧マッサージ機３８において、水槽１内の水を循環させる循環ポンプ２４、冷却ファン２８を有する冷却部２６からなる冷却用循環管路２０を設け、水温に応じて、冷却ファン２８の回転数を変更制御するものであるから、水温が高温時は冷却ファン２８を高速回転させ、外気との接触を増大させて高能力にて冷却でき、冷却部２６の冷却能力を最大に発揮させて、早期に冷却でき、好都合である。
【０００８】
又、高温域以下の時は、０回転又は低速回転であり、高温域及び低温域共に、能率よく冷却でき、余分な冷却ファン２８の駆動騒音や空気流騒音を押さえ、余分な消費電力を押さえ、静かに本発明機器を使用でき、好都合である。
【０００９】
本発明に係る水圧マッサージ機３８において、水槽１内の水を循環させる循環ポンプ２４及び冷却部２６からなる冷却用循環管路２０を設け、水温に応じて、冷却部２６の通水量を変更制御するものであるから、水温が高温時は循環ポンプ２４の回転数を上げ通水量を増大し、冷却部２６によって外気温に曝す水量を増してよく冷却でき、冷却部２６が持つ冷却能力を最大に発揮させることができ、又、高温域以下の時は、冷却部２６への通水量を０又は通常量とし、高温域及び低温域共に、能率よく冷却でき、余分な消費電力を押さえ、余分な循環ポンプ２４による機械騒音を押さえ、空気騒音も一定した静かな音に押さえつつ本発明機器を使用でき、好都合である。
【００１０】
本発明に係る水圧マッサージ機３８において、水槽１内の水を循環させる循環ポンプ２４、複数個の冷却ファン２８を有する冷却部２６からなる冷却用循環管路２０を設け、水温に応じて、運転する冷却ファン２８の個数を変更制御するものであるから、水温が高温時は多数の冷却ファン２８を作動し、稼動する冷却ファン２８の個数に比例した能力で良好に冷却できる。
【００１１】
冷却ファン２８は、高温域以下の時は０台又は１台の駆動であり、静かに本発明機器を使用でき、高温域に入ると、冷却ファン２８を全数を駆動して早急に好適温度に能率よく冷却でき、冷却ファン２８の全数を駆動させた時に生じる高騒音時間を短縮し、余分な消費電力を押さえ、静寂に水圧マッサージ治療を施すことが出来、好都合である。
【００１２】
本発明は、水圧マッサージ機３８において、水槽１内の水を循環させる循環ポンプ２４、冷却ファン２８を有する冷却部２６からなる冷却用循環管路２０を設け、前記冷却ファン２８を制御するラジエーター制御回路３５を設け、ノズル１０へ連通した噴射ポンプ１６を制御するマッサージ制御回路３１を設け、該マッサージ制御回路３１の出力をラジエーター制御回路３５に入力し、噴射ポンプ１６の回転数に対応してラジエーター制御回路３５を制御するものである。
【００１３】
噴射ポンプ１６の回転数を大きくした時は水の摩擦熱が多く発生し、水槽１内の水の温度が高温になろうとするが、前記構成によれば、冷却ファン２８を高速回転させ、外気との接触を増大させて高能力にて冷却でき、冷却部２６の冷却能力を最大に発揮させて、高温化を防ぐことができ、早期に冷却でき、好都合である。
【００１４】
又、噴射ポンプ１６の回転数が通常の時は、水の摩擦熱の発生は通常であり、冷却ファン２８は通常化移転であり、噴射ポンプ１６の回転数を小さくした時は冷却ファン２８は、０回転又は低速回転であり、噴射ポンプ１６の高速回転時及び低速回転時共に、能率よく冷却でき、余分な消費電力を押さえ、余分な冷却ファン２８の駆動騒音や空気流騒音を押さえ、静かに本発明機器を使用でき、好都合である。
【００１５】
本発明は、水圧マッサージ機３８において、水槽１内の水を循環させる循環ポンプ２４、複数個の冷却ファン２８を有する複数個の冷却部２６からなる冷却用循環管路２０を設け、冷却部２６を制御するラジエーター制御回路３５を設け、水温に応じて、運転する冷却部２６の個数を変更制御し、及び運転する冷却ファン２８の個数を変更制御するものであるから、水温が高温時は、多数のラジエーター２７を作動し、多数の冷却ファン２８を作動し、稼動するラジエーター２７個数に比例した能力で高能率に冷却でき、又稼動する冷却ファン２８個数に比例した能力で高能率に冷却できる。即ち、前述の水温が高温時は、ラジエーター２７個数と共に冷却ファン２８個数も増し、高能率に冷却できる。
【００１６】
高温域以下の時は、冷却ファン２８は０台又は１台の運転であり、冷却部２６は０台又は１台の稼動であり、静かに本発明機器を使用できる。
高温域に入ると、冷却ファン２８及び冷却部２６の全数を稼動して早急に好適温度に能率よく冷却でき、余分な消費電力を押さえることができる。全数稼動時には騒音が高くなるがその高騒音の時間を短縮して静寂に、水圧マッサージ治療を受けることが出来、好都合である。
【００１７】
１個ラジエーター方式はそのラジエーター２７が大型になり取り付けが不利となり、空気騒音も大きく不都合であるが、それぞれに冷却ファン２８が設けられた複数ラジエーター方式ではそのラジエーター２７を小型にでき、取り付けスペースも有利であり、騒音も小さく、好都合である。
【発明を実施するための最良の形態】
【００１８】
本発明の水圧マッサージ機３８で患者にマッサージを施す。
稼動中、水槽の水は摩擦熱で昇温する。水温が体温を超えると暑く不快になるので冷却する。
冷却用循環管路２０は冷却部２６へ水槽１内の水を導き循環させる。循環ポンプ２４は水槽１内の水を、吸引し、吐出し、循環させる。複数個の冷却部２６は、通水を外気によって水槽１内の水を空気冷却する。
【００１９】
水温に応じて、運転する冷却部２６の個数を変更制御する。水温が高い程運転する冷却部２６の個数は多い。水温が低い程運転する冷却部２６の個数は少ない。
水槽１の水温に係る設定を所定温度に決めると、略所定温度以下では、制御部２９は循環ポンプ２４を停止し、ラジエーター２７へは通水しない。略所定温度以上では、制御部２９は循環ポンプ２４を作動し、ラジエーター２７へ通水する。
水温が高温域に至ると、稼動するラジエーター２７の個数は全数フル稼働となる。水温は設定した温度に保たれる。
【００２０】
冷却ファン２８は冷却部２６の外壁に空気を吹き付け、冷却部２６を循環通水している水を冷却する。
【００２１】
水温に応じて、回転する冷却ファン２８の回転数を変更制御する。水温が高い程回転する冷却ファン２８の回転は速い（＝高速回転）。水温が低い程回転する冷却ファン２８の回転は遅い（＝低速回転又は回転停止）。
水槽１の水温に係る設定を所定温度に決めると、略所定温度以下では冷却ファン２８は回転せず、冷却部２６への通水もしない。略所定温度以上では冷却ファン２８は回転し、冷却部２６へ通水する。水温は設定した温度に保たれる。
【００２２】
循環ポンプ２４は、水温に応じて、回転数を変更制御する。水温が高い程循環ポンプ２４の回転は速い（＝高速回転）。水温が低い程循環ポンプ２４の回転は遅い（＝低速回転又は回転停止）。
水槽１の水温に係る設定を所定温度に決めると、略所定温度以下では循環ポンプ２４は回転せず、冷却部２６へ通水しない。略所定温度以上では循環ポンプ２４は回転し、冷却部２６へ通水する。水温は設定した温度に保たれる。
【００２３】
一個の冷却部２６に複数個の冷却ファン２８が並設されている。水温に応じて、回転する冷却ファン２８の個数を変更制御する。水温が高い程回転する冷却ファン２８の個数は多い。水温が低い程回転する冷却ファン２８の個数は少ない。
【００２４】
水槽１の水温に係る設定を所定温度に決めると、略所定温度以下では回転する冷却ファン２８の個数は零であり、冷却部２６への通水も行なわれない。略所定温度以上では回転する冷却ファン２８の個数は１個以上であり、冷却部２６への通水も行なわれる。水温は設定した温度に保たれる。
【００２５】
マッサージ制御回路３１は、ノズル１０へ連通した噴射ポンプ１６を制御すると共に、ラジエーター制御回路３５へ噴射ポンプ１６の回転数のデータを付与する。マッサージ制御回路３１は、噴射ポンプ１６の回転数に対応してラジエーター制御回路３５を制御する。
【００２６】
冷却用循環管路２０は複数個の冷却ファン２８を有する複数個の冷却部２６からなり、ラジエーター制御回路３５は、水温に応じて、冷却部２６の稼動個数及び冷却部２６内の冷却ファン２８の稼動個数を変更制御する。
【実施例１】
【００２７】
図１、２に本発明の実施例１を示している。
実施例１は、水を満たす水槽１と、該水槽１内にあって水槽１の長手方向に移動可能に設けられるノズル機構２と、ノズル機構２に水を供給する噴射機構３と、水槽１の開口部４を水密に覆う可撓な可撓膜５と、水槽１内の水を冷却する冷却機構６とからなる。
【００２８】
水槽１は平面視長方形の容器であり、該水槽１は水を収容する。水槽１の上面は開口してなる開口部４である。
尚、水槽１の形状は、平面視長方形に限定されるものではなく、平面視楕円形又は正方形又は適宜な任意な形状であってもよい。
【００２９】
前記可撓膜５は、伸縮材で製作され、水槽１の全周縁に止着される。
【００３０】
前記ノズル機構２は、水槽１の底壁７に載置され水槽１の長手方向に移動可能な台車８と、水槽１の長手方向に掛け渡され台車８を移動させる移動用ネジ軸９と、台車８の上部に形成されるノズル１０とからなる。ノズル１０の側面には取水口１１が設けられる。
【００３１】
移動用ネジ軸９は、台車８に設けられる雌螺子１２に螺合される。移動用ネジ軸９には水槽１の外側で移動用モーター１３に連結される。台車８の下部には底壁７を転動する車輪１４が設けられる。
【００３２】
循環管路１５は、水槽１内の水を噴射ポンプ１６で吸入し圧縮しノズル１０へ付与するものである。
詳しくは、前記噴射ポンプ１６は、水槽１内の水を底壁７に開設された吸入口１７から吸入し、加圧し、加圧した加圧水を前記ノズル１０へ付与するものである。
【００３３】
噴射ポンプ１６の吐水口１８に基端が取着されたホース１９の先端は、底壁７の出水口３７を貫通しノズル１０の取水口１１に接続される。
前記ノズル１０から圧力水が噴出され、この噴出水は、可撓膜５を介して患者に当たり、患者を押圧刺激する。
【００３４】
尚、図示を省略するが、水槽１に、該水槽１の上部に有るエアーを抜くエアー抜き装置が設けられる。可撓膜５下に溜まるエアーは前記エアー抜き装置から必要に応じて抜き去られる。
【００３５】
水槽１に連通する冷却用循環管路２０は、水槽１の底壁７に設けられる吸い込み口２１及び吐き出し口２２と、吸い込み口２１と吐き出し口２２を水槽１外で連通する連通管２３と、連通管２３の系内に設けられる循環ポンプ２４、電磁弁２５及び冷却部２６とからなる。
【００３６】
冷却部２６は、二個のラジエーター２７（＝甲・乙ラジエーター２７ａ、２７ｂ）と、各ラジエーター２７に設けられる冷却ファン２８（＝甲・乙冷却ファン２８ａ、２８ｂ）とからなる。
【００３７】
循環ポンプ２４、冷却ファン２８及び電磁弁２５は制御部２９から給電される。制御部２９には底壁７に設けられ水槽１内の水温を図る温度センサー３０が接続される。電磁弁２５には、甲・乙電磁弁２５ａ、２５ｂが有り、二個のラジエーター２７に係る連通管２３に各１個設けられる。
【００３８】
尚、循環ポンプ２４に係る管路は二個のラジエーター２７に分岐されて接続されているが、循環ポンプ２４を２個準備し、二個のラジエーター２７に係る連通管２３に各１個設けるものとしてもよい。
【００３９】
図２に示す電気的構成を説明する。
制御部２９のマッサージ制御回路３１は、マッサージ設定器３２の信号を得て、噴射ポンプ１６及び移動用モーター１３へ給電し駆動制御する。
温度比較器３３は、温度センサー３０から得る信号と、ラジエーター温度設定・表示器３４からの設定値信号とを比較する。
【００４０】
ラジエーター制御回路３５は、温度比較器３３の出力信号を得て、電磁弁２５、循環ポンプ２４及び冷却ファン２８に給電する。
【００４１】
ラジエーター制御回路３５は、電磁弁２５を開閉制御し、循環ポンプ２４を停動制御し更に回転速度調節し、冷却ファン２８を停動制御し更に回転速度調節する。
マッサージ制御回路３１の出力はラジエーター制御回路３５に入力され、ラジエーター制御回路３５は、噴射ポンプ１６の回転数に対応して冷却ファン２８の回転数を変更制御する。
図１中、３８は水位センサー、図２中、３６は電源である。
【００４２】
実施例１を使用する際は、先ず、水槽１に水を満たす。
次に、患者を、水槽１の開口部４を覆った可撓膜５上に乗せる。開口部４に張設されている可撓膜５の張力、及び水槽１内の液体の浮力が作用し、患者を支持する。
【００４３】
続いて、噴射ポンプ１６を駆動させると、該ポンプ１６は吸入口２３から水槽１内の水を吸入し、吸入した水をノズル１４から噴出する。
可撓膜５は、伸縮性を有しているので、患者に押されて自在に変形し患者外形状によく添うと共に、噴出水の圧力を受けて自在に凸状に変形する。
【００４４】
可撓膜５に噴出水が衝突し該膜５は上方に瞬時突出変形し、可撓膜５を介して患者を押圧しマッサージ刺激を与える。
可撓膜５は、噴出水の衝撃に係るエネルギーの減衰を少なくして、当該エネルギーを患者に伝導する。
【００４５】
前記ノズル１０は、台車８の移動に伴って縦方向（＝水槽１の長手方向）に移動する。
【００４６】
水圧マッサージ機３８においてはその稼動中に、水槽１内の水が摩擦し、該水から摩擦熱が発生する。
この摩擦熱により水槽１内の水温が上昇して来、患者に暑さによる不快感を与える。
快適な水圧マッサージをするために水槽１内の水の温度を冷却機構６で冷却する。
【００４７】
水槽１内の水は、冷却用循環管路２０に吸い込まれ、ラジエーター２７内を通過する。この水は通過中に外気で冷却される。冷却された水は吐き出し口２２から水槽１に戻る。
上記の様に、水槽１内の水は、循環ポンプ２４に引かれて冷却用循環管路２０を通って戻ることによって冷却されている。
【００４８】
制御部２９は、水温に応じて稼動するラジエーター２７の個数を変更制御する。水温が高い程稼動するラジエーター２７の個数は多い。水温が低い程稼動するラジエーター２７の個数は少ない。
【００４９】
水槽１の水温に係る設定を所定温度（＝具体的には３６度）に決めた場合、最初は、３６度以下では冷却部２６へは通水しない。水温が３６度に至ると、冷却部２６が１個作動し、３６度に保つ。
しかし、水温が微増した場合には、冷却部２６が２個作動し、水温を下げる。水温が３２度まで下がると冷却部２６の稼動を停止する。冷却部２６が停止すると水温は再び上昇する。水温が３６度に至ると、冷却部２６が１個作動し、以下上記作動を繰り返す。
【００５０】
制御部２９は、水温に応じて回転する冷却ファン２８の回転数を変更制御する。水温が高い程冷却ファン２８の回転は速い（＝高速回転）。水温が低い程冷却ファン２８の回転は遅い（＝低速回転又は回転停止）。
【００５１】
水槽１の水温を３６度に設定すると、最初は、３６度以下では冷却ファン２８は回転せず、ラジエーター２７への通水もしない。水温が３６度に至ると、冷却ファン２８は回転する。水温が３６度を超えるとその増加分に対応して冷却ファン２８の回転速度が制御される。仮りに、水温が高温域に至った場合には、冷却ファン２８の回転は速くなり、上限速度となり、冷却能力は最大となる。水温に対応して冷却能力が制御され、水温は３６度にほぼ一定に保たれる。
【００５２】
一方、冷却ファン２８の回転数は噴射ポンプ１６の回転数に対応して変更制御される。即ち、噴射ポンプ１６の回転数のデータがラジエーター制御回路３５へ入力され、該ラジエーター制御回路３５は噴射ポンプ１６の回転数に対応して冷却ファン２８の回転数を変更制御する。
【００５３】
操作者が、マッサージ強度を高める為に噴射ポンプ１６の回転数を大きくした場合、噴射水の摩擦熱が増え水温が大幅に上昇するのでこの大幅な温度上昇を押さえる為に、噴射ポンプ１６の回転数に対応して冷却ファン２８の回転数を上げる。
冷却ファン２８の回転数を増し冷却能力を増強し、水槽１の温度を好適温度に維持する。
【００５４】
制御部２９は、水温に応じて、循環ポンプ２４の回転数を変更制御する。水温が高い程循環ポンプ２４の回転は速い（＝高速回転）。水温が低い程循環ポンプ２４の回転は遅い（＝低速回転又は回転停止）。
水槽１の水温を３６度に設定すると、最初は、３６度以下では循環ポンプ２４は回転を停止し、ラジエーター２７へ通水しない。
３６度に至ると、循環ポンプ２４は回転し、ラジエーター２７へ通水する。
【００５５】
水温が高温域に至った場合は、循環ポンプ２４の回転は速く、上限速度となり、通水量を上げ、ラジエーター２７の熱交換効率の低い部位を無くし、ラジエーター２７の冷却能力の範囲内で該冷却能力をフル活用して、水を高能率に冷却する。 
【００５６】
図３に示す実施例２は、第１実施例における一個のラジエーター２７に一個の冷却ファン２８を設けた構成を、一個のラジエーター２７に四個の冷却ファン２８を設けた構成に代えたものである。
【００５７】
実施例２では、ラジエーター制御回路３５は水温に応じて稼動する冷却ファン２８の個数を変更制御する。水温が高い程稼動冷却ファン２８の個数は多い。水温が低い程稼動冷却ファン２８の個数は少ない。
【００５８】
ラジエーター温度設定・表示器３４で水槽１内の水の温度を３６度に設定すると、最初は、３６度以下では稼動冷却ファン２８の個数は零であり、ラジエーター２７への通水も行なわず、冷却しない。３６度に至ると、回転する稼動冷却ファン２８の個数を１とし、冷却する。高温域に至った場合には、回転する稼動冷却ファン２８の個数を全数とし、冷却能力を最大にする。水温に対応して冷却ファン２８の個数を変え、冷却能力を調節し、水温を３６度にほぼ一定に保つ。
【００５９】
図４の電気的構成では、複数個（＝具体例では四個）の冷却ファン２７が取着されたラジエーター２７からなる冷却部２６が複数個（＝具体例では二個）設けられる。ラジエーター制御回路３５は、水温に応じて、冷却部２６の稼動個数及び冷却部２６内の冷却ファン２８の稼動個数を変更制御する。図４では二個の冷却部２６、２６に付いて、それぞれ二個の冷却ファン２８ａ、２８ａ、２８ｂ、２８ｂが稼動している状態を示している。
【産業上の利用可能性】
【００６０】
水槽１内の水の温度を高能率に冷却し静寂に水圧マッサージを行なう水圧マッサージ機３８に適用できる。
【図面の簡単な説明】
【００６１】
【図１】本発明の実施例１の側断面図である。
【図２】本発明の実施例１の電気的構成を示す図である。
【図３】本発明の実施例２の側断面図である。
【図４】本発明の実施例２における冷却部を複数個設けた電気的構成を示す図である。
【符号の説明】
【００６２】
１  水槽
１０  ノズル
１６  噴射ポンプ
２０  冷却用循環管路
２４  循環ポンプ
２６  冷却部
２８  冷却ファン
３１  マッサージ制御回路
３５  ラジエーター制御回路
３８  水圧マッサージ機
【図１】
2005065896.tif 000003
【図２】
2005065896.tif 000004
【図３】
2005065896.tif 000005
【図４】
2005065896.tif 000006